(57)【要約】【課題】  挿入されたアンプルを正確に中心位置に固持すると共に、固持状態で次工程側に安定移送可能であり、サイズの異なるアンプルにもそのまま適用可能であり、安定性，取扱性の向上が図れるアンプル保持装置を提供する。【解決手段】  相対向して配置されるアンプル保持部材１，１の三角溝５，５内にアンプル６を挿入し、ケース本体３の台座挿入によって保持部材開閉機構部２を動作し、これによりアンプル保持部材１，１の開閉が行われる。【選択図】  図１
0003123153.tif 000002
【実用新案登録請求の範囲】
【請求項１】
各種サイズのアンプルを挿入でき、その位置で該アンプルを着脱可能に固持し、固持状態で次工程側に移送するためのアンプル保持装置であって、該装置は、前記アンプルを挿入して保持するための三角溝を形成して相対向して配置される一対のアンプル保持部材と、該保持部材に係着して設けられ相互の前記アンプル保持部材を近接又は離隔する方向に移動する保持部材開閉機構部と、前記アンプル保持部材及び保持部材開閉機構部を収納するケース本体と、該ケース本体を着脱可能に保持する台座とを設けるものからなり、前記保持部材開閉機構部は、前記台座に前記ケース本体を挿脱することにより開閉動作をすべく形成されることを特徴とするアンプル保持装置。
【請求項２】
前記保持部材開閉機構部が、前記夫々のアンプル保持部材に一端側を枢支されると共に基端側を基軸に枢支される一対のレバ部材と、前記ケース本体側に基端側を枢支され先端側を連結具を介して前記レバ部材の基軸に連結する揺動部材とからなり、該揺動部材は、前記レバ部材の前記台座への挿入により前記台座に形成されている押圧具により回動すべく形成されることを特徴とする請求項１に記載のアンプル保持装置。
【請求項３】
前記ケース本体には、左右端を連結する連結棒が架設され、該連結棒には前記揺動部材の基端側が枢支されることを特徴とする請求項１又は２に記載のアンプル保持装置。
【考案の詳細な説明】
【技術分野】
【０００１】
本考案は、複数の同一形式のアンプルを挿入及び挿入位置で固持し、次工程側に移送できると共にサイズの異なるアンプルに対しても簡単に対応でき、かつ取扱性，安全性のよいアンプル保持装置な関する。
【背景技術】
【０００２】
アンプルに関してはその内容物が多岐にわたり、かつ人体の安全や健康に関するものであり、アンプルの内容物の管理は極めて重要である。このためアンプルにはＩＣタグのような情報蓄積タグが装着されることが近年行われている。アンプルは多種類のものがあると共に同時に数多くのものを取り扱う必要があり、前記のＩＣタグ等を装着する装置に対して該当のアンプルを正しく保持し、その装置の定位置にセットすることが必要になる。このためにはアンプルの保持装置が必要であり、従来技術では例えば「特許文献１」の如きものが開示されている。
【特許文献１】特開２００３−３０５１０６号（図１）
【考案の開示】
【考案が解決しようとする課題】
【０００３】
「特許文献１」の「特開２００３−３０５１０６号」の「アンプル保持器」は同一形状の複数のアンプルを保持部に装着し、保持部に支持されているバンドによりアンプルを保持部側に押圧してアンプルを保持部側に固持するものである。しかしながら、このアンプル保持器はバンドによる押圧力によりアンプルを保持するため保持姿勢が不安定であり、移送時等においてはアンプルの位置ずれが生ずる。また、このアンプル保持器では異なった形状のアンプルを保持することは原則として出来ない。よって、アンプルのサイズごとにアンプル保持器を準備する必要があり、コスト高となると共にその管理が難しく、安全性においても大きな問題点がある。
【０００４】
本考案は、以上の事情に鑑みて考案されたものであり、一種類の多数個のアンプルを確実に定位置に保持することができると共に、サイズの異なるアンプルに対しても適用され、安全性や取扱性のよいアンプル保持装置を提供することを目的とする。
【課題を解決するための手段】
【０００５】
本考案は、以上の目的を達成するために、請求項１の考案は、各種サイズのアンプルを挿入でき、その位置で該アンプルを着脱可能に固持し、固持状態で次工程側に移送するためのアンプル保持装置であって、該装置は、アンプルを挿入して保持するための三角溝を形成して相対向して配置される一対のアンプル保持部材と、該保持部材に係着して設けられ相互の前記アンプル保持部材を近接又は離隔する方向に移動する保持部材開閉機構部と、前記アンプル保持部材及び保持部材開閉機構部を収納するケース本体と、該ケース本体を着脱可能に保持する台座とを設けるものからなり、前記保持部材開閉機構部は、前記台座に前記ケース本体を挿脱することにより開閉動作をすべく形成されることを特徴とする。
【０００６】
また、請求項２の考案は、前記保持部材開閉機構部が、前記夫々のアンプル保持部材に一端側を枢支されると共に基端側を基軸に枢支される一対のレバ部材と、前記ケース本体側に基端側を枢支され先端側を連結具を介して前記レバ部材の基軸に連結する揺動部材とからなり、該揺動部材は、前記レバ部材の前記台座への挿入により前記台座に形成されている押圧具により回動すべく形成されることを特徴とする。
【０００７】
また、請求項３の考案は、前記ケース本体には、左右端を連結する連結棒が架設され、該連結棒には前記揺動部材の基端側が枢支されることを特徴とする。
【考案の効果】
【０００８】
本考案の請求項１の「アンプル保持装置」によれば、アンプルは一対のアンプル保持部材の三角溝とアンプル保持部材の閉方向の移動により中心の定位置に保持される。このアンプル保持部材の開閉はケース本体を台座に挿脱することによる保持部材開閉機構部の作動により簡単に、かつ確実に行われる。また、アンプルのサイズが異なっても保持部材の開閉方向のストロークの範囲であればアンプル保持部材を交換することなくそのままで使用可能となる。これにより管理性や取扱性の大幅な向上が図れる。
【０００９】
また、本考案の請求項２の「アンプル保持装置」によれば、保持部材開閉機構部はレバ部材と連結具と揺動部材等からなり、リンクモーションを利用するものであり、開閉動作が確実に行われる。
【００１０】
また、本考案の請求項３の「アンプル保持装置」によれば、ケース本体に連結棒を架設することにより、左右の保持部材開閉機構部の動きが同期して安定的に行われ、アンプルの固持が確実に、かつ安定的に行われる。
【考案を実施するための最良の形態】
【００１１】
以下、本考案のアンプル保持装置の実施の形態を図面を参照して詳述する。図１乃至図３は本考案のアンプル保持装置１００の装置の全体構造を示す図面であり、図４は保持部材開閉機構部を示し図５及び図６は台座を示し、図７及び図８は保持部材開閉機構部の概要構造とその開閉動作を説明するための図である。
【００１２】
アンプル保持装置１００は、大別して、三角溝５を複数個形成する軟質材からなる一対のアンプル保持部材１，１と、このアンプル保持部材の左右端に夫々設けられる保持部材開閉機構部２，２と、アンプル保持部材１，１及び保持部材開閉機構部２，２を収納するケース本体３と、ケース本体３を着脱可能に保持する台座４等とからなる。
【００１３】
アンプル保持部材１は図１及び図７，図８に示すように断面矩形形状で細長の部材からなり、その開放面側には前記した三角溝５が凹設される。アンプル保持部材１は一対のものからなり、互いに三角溝５を合わせて相対向して配置される。この三角溝５はアンプル６を保持するものでアンプル保持部材１が開放状態にあるときはアンプル６は一対の三角溝５，５で形成される四角孔内に容易に挿入される。一方、アンプル保持部材１，１が閉止側に移動するとアンプル６は三角溝５，５に挾まれて中心位置決めされた状態で固持される。また、一対のアンプル保持部材１，１間にはスプリング７が架設されアンプル保持部材１，１を互いに近接する方向に付勢している。また、アンプル保持部材１，１の両端側にはアンプル保持部材１，１を開閉方向に案内するガイド軸８が貫通し、ガスト軸８は後に説明するケース本体３に両端を連結して固着される。
【００１４】
保持部材開閉機構部２はアンプル保持部材１の左右方向に係着すると共に後に説明するケース本体３側に保持される機構部からなり、具体的には一対のレバ部材９と連結具１０と揺動部材１１等とからなる。レバ部材９はその一端側をアンプル保持部材１に枢支されると共に基端側を単一の基軸１２に枢支されるレバ状の部材からなり、基軸１２はケース本体３を貫通して板状の連結具１０に固定される。また、連結具１０に固定される軸１３はケース本体３を貫通し揺動部材１１の先端側が枢支され、揺動部材１１の基端側はケース本体３に左右両端を固定して架設される連結棒１４を介してケース本体３側に枢支される。以上の構造により連結具１０を上下動するとレバ部材９，９が基軸１２を基点として回動し、アンプル保持部材１，１の開閉を行う。
【００１５】
ケース本体３は、アンプル保持部材１，１及び保持部材開閉機構部２，２を収納，保持する横断面コ字形状（開放部を上面に向けてコ字形状）のものからなり、アンプル保持部材１，１を開閉方向に移動可能に保持すると共に保持部材開閉機構部２，２を保持する左右板１５，１５を有するものからなる。また、この左右板１５，１５間には連結棒１４が架設されて固定される。また、前記のようにケース本体３にはアンプル保持部材１，１を開閉方向に案内するガイド軸８が固定される。また、ケース本体３の底面には図３に示すようにアンプル６の段部を保持する孔２１が貫通形成される。
【００１６】
台座４は図５，図６に示すようにベース板１６とこの左右端側に固定される押圧具１７を有するものからなる。押圧具１７は樹脂材からなり底面をベース板１６に固定して立設するものからなり、その側面にはケース本体３の左右板１５，１５の挿脱する溝１８が形成されると共に図６に示すように傾斜面１９を有する壁部２０が形成される。この傾斜面１９は後に説明するが揺動部材１１を回動するためのものである。
【００１７】
次に、本考案のアンプル保持装置１００によるアンプル６の挿入及び固持作用を説明する。固定側に固定されている台座４の押圧具１７の溝１８にケース本体３の左右板１５，１５を挿入しケース本体３を台座４側に保持させると、図７に示すように揺動部材１１が押圧具１７の壁部２０の傾斜面１９に当り、揺動部材１１は回動する。このため軸１３を介して連結具１０が上方に移動し、これに伴って基軸１２も上方に移動する。これによりレバ部材９，９が回動し水平状態となる。そのためケース本体３内に収納されているアンプル保持部材１，１は開方向に移動し図１に示す状態となる。そこで、図１に示すようにアンプル６は三角溝５，５内に楽に挿入することができる。アンプル６が全部挿入されたら、台座４からケース本体３を引き出す（上方に）と、揺動部材１１と傾斜面１９との当接が開放され、揺動部材１１は図８に示す方向に回動する。この回動に伴って連結具１０が下降し、基軸１２も下降し、レバ部材９，９が回動し、アンプル保持部材１，１を閉方向に移動させる。この場合、スプリング７がアンプル保持部材１，１の閉方向の移動を付勢し、ガイド軸８はその移動の円滑化を図るべく機能する。以上によりアンプル６は三角溝５，５内に固持され不動状態で把持される。これにより、ケース本体３を次工程側に移動し、次工程装置にアンプル６を位置決めすることができる。
【００１８】
以上は一種類のアンプル６の固持について説明したが、アンプル６のサイズが相違しても図１に示すように三角溝５，５間の移動可能な隙間の範囲内であれば別のサイズのアンプル６にも使用可能となり、アンプル６毎に装置を変える必要がなくなる。また、アンプル６は一対の三角溝５，５により挟持されるため、アンプル６は常に装置に中心部の正しい位置に固持されることになる。このため、次工程における例えばＩＣタグの装着が容易に行われ、かつ正確な位置に装着されることができる。
【産業上の利用可能性】
【００１９】
以上の説明において各構成要素の実施例を示したが、各構成要素は以上のものに限定するものではなく、同一の技術的範疇のものが適用されることは勿論である。
【図面の簡単な説明】
【００２０】
【図１】本考案のアンプル保持装置の全体構造を示す上面図。
【図２】図１の正面図。
【図３】図１の一部底面図。
【図４】保持部材開閉機構部の主要構成部材を示す側面図。
【図５】台座の上面図。
【図６】台座の横断面図。
【図７】本考案における保持部材開閉機構部の作用を説明する側面図。
【図８】本考案における保持部材開閉機構部の作用を説明する側面図。
【符号の説明】
【００２１】
１      アンプル保持部材
２      保持部材開閉機構部
３      ケース本体
４      台座
５      三角溝
６      アンプル
７      スプリング
８      ガイド軸
９      レバ部材
１０    連結具
１１    揺動部材
１２    基軸
１３    軸
１４    連結棒
１５    左右板
１６    ベース板
１７    押圧具
１８    溝
１９    傾斜面
２０    壁部
２１    孔
１００  アンプル保持装置
【図１】
0003123153.tif 000003
【図２】
0003123153.tif 000004
【図３】
0003123153.tif 000005
【図４】
0003123153.tif 000006
【図５】
0003123153.tif 000007
【図６】
0003123153.tif 000008
【図７】
0003123153.tif 000009
【図８】
0003123153.tif 000010